(57)【要約】      （修正有）【課題】利用者にそこに充電装置があり、かつ現在充電装置が利用可能な状態であることを車中から容易に確認できる表示装置を提供する。【解決手段】駐車場の全車室の入庫、空車を検知するセンサと、同センサ情報に基づき空きスペースの数を算出する精算機を利用して、充電装置を設置した車室の空き情報を、充電装置のない車室の空き情報とは区別して把握し、駐車スペースの空き情報の他に、現在充電装置が利用できる状態かどうかを表示できるようにした。【選択図】図２
0003173255.tif 000002
【実用新案登録請求の範囲】
【請求項１】
一部の車室に電気自動車等の充電装置と、全車室に入車、出車を検出するループコイルなどの検知手段を設け、精算機で全車室の使用状況を把握し課金するようにした駐車場において、充電装置がない車室の満車空車表示と、充電装置のある車室の満車空車表示を分けて、一つの表示装置にまとめて表示するようにしたことを特徴とする駐車場の充電可能表示装置 
【請求項２】
請求項１の充電可能表示装置において、充電装置を設置した車室の利用可能あるいは不可の表示は、「充」、「充電」、「電」などの略字や、充電装置のイメージを表す図柄などと一緒に、充電が可能である「可」、「空」などの略字、あるいは○印、×印などの記号をペアにして表示することを特徴とした表示装置。 
【請求項３】
請求項１の充電可能表示装置において、充電装置のない車室の満車または空車を示す「満」または「空」などの表示と、充電装置のある車室が充電可能であることを示す「充」、「充電」、「可」などの文字、あるいはシンボルマークなどの表示とを、一定時間ごとに交互に表示するようにしたことを特徴とする電子式表示装置。 
【請求項４】
請求項１の充電可能表示装置において、充電可能の表示は、空車、満車の表示とは違った色で表示することを特徴とする電子式表示装置。
【考案の詳細な説明】
【技術分野】
【０００１】本実用新案は、電気自動車などの充電装置を設置した有料駐車場で、充電が可能な状況にあるかどうかをドライバーが容易に確認できる表示装置に関する。 
【背景技術】
【０００２】比較的長時間車を止めておく駐車場は、電気自動車等の充電場所として最適であり、従来のガソリンスタンドに変わる電気自動車等のエネルギー源補給のインフラとして位置づけられるようになる。特に、駐車場に複数の車室を設け、入車、出車を検知して駐車時間による駐車料金を課金するコインパーキング場は、電気自動車の充電場所としても最適であり、充電装置を備えた駐車場は今後急速に数が増えると考えられる。しかし、充電装置が設置されていても、それが使用中であれば充電ができないので、現在駐車場が満車か空車かを表示する表示装置のように、充電が可能な状態にあるかどうかを表示する表示装置が必要になる。しかし、これまでは充電可能な駐車場はほとんどなかったので、利用者に充電が可能であることを分かりやすく知らせる表示装置もなかった。 
【先行技術文献】
【非特許文献】
【０００３】
【非特許文献１】http://www.sum-tech.co.jp/products/500-led-/
【非特許文献２】http://www.npsec.com/products/category/information/led_manku_cp.html
【非特許文献３】http://www.s-park.jp/
【非特許文献４】http://www.ameblo.jp/coinparking/image-10709208772-10863428807.html
【非特許文献５】http://www.ev.nissan.co.jp/LEAF/CHARGE/
【０００４】  駐車場の満空表示装置は、非特許文献１、および２にあるように既に多くの製品があり、広く設置されている。ドライバーが車中から駐車スペースに空きがあるかどうかを視認するのにきわめて有効である。しかし、充電装置がほとんどない現状では、充電設備の空きがあるかどうかまで表示できる装置はない。 【０００５】非特許文献３、および４では、駐車場に充電装置が設置されていることを示す看板装置が紹介されている。しかし、その表示は、駐車場に充電装置があることを示す看板や表示であって、それが利用可能であるかどうかを示す表示看板ではない。 【０００６】非特許文献５では、ＥＶ車内から、充電スタンドの設置場所等が検索できるナビシステムが利用できることが述べられている。しかし、これらの情報は、車中にあり、運転中に情報を見るのは危険であるほか、たとえ情報が音声で聞けたとしても、ドライバーにとっては、駐車場の満空表示を見るほど安全で簡単ではない。 【０００７】以上のように、充電装置がほとんどないという実用的な電気自動車の市場投入初期の社会では、充電装置が設置されていることを表示するだけでその目的を果たしていて、それが利用できる状態であるかどうかまで表示する必要がなかった。また、社内で得られるナビ情報は、情報をきをつけて見たり聞いたりする必要があり、走行中に前方で確認できる表示装置ほど簡単ではなく、かつ安全でもない。 
【考案の概要】
【考案が解決しようとする課題】
【０００８】電気自動車等が社会に相当数普及する時代には、市中の駐車場にはその一部に充電装置を設置する駐車場が増えてくる。そして、そのような駐車場で充電を行うドラーバーも増えてくる。そうした状況では、充電装置が設置された駐車場であっても、充電設備が利用可能な空き状態であるかどうかを利用者のために表示する表示装置や看板が必要になる。本実用新案の課題は、上記の表示装置を提供することにある。 
【課題を解決するための手段】
【０００９】本実用新案は、駐車場の各車室にループセンサなどの車両入庫、退出を検出する装置と、全駐車スペースの占有状況を算出する情報処理装置（通常は精算機）がある駐車場設備で、充電装置を設置した車室と充電装置がない車室の入庫情報を分けて処理し、従来の駐車スペースの空きを知らせる満・空表示に加えて、充電できる車室に未利用車室があるときは、充電装置が利用できるという表示を、また利用できない場合は利用不可の表示を、道路を走行中の車内から容易に認識できる形で表示するようにした。 
【考案の効果】
【００１０】駐車場に空きスペースがあるかどうかを知らせる満空表示に加えて、充電装置が利用できるかどうかを知らせる充電の可，否の表示ができるので、電気自動車等のドライバーは車内のナビシステムに頼ることなく、走行中に安全に充電できる駐車場を見つけることができる。 
【図面の簡単な説明】
【００１１】
【図１】は、本実用新案を適用した駐車場のシステムを示す。
【図２】は、本実用新案の表示装置の例を示すものである。
【図３】は、本実用新案の表示装置に表示する文字やイラストの例を示したものである。
【図４】は、本実用新案の表示内容の切り替えを行うシステムを示したものである。
【実施例】
【００１２】図１は、本実用新案の充電可能を表示するコインパーキング場のシステムを示す。１は車室で、車の駐車スペースである。車室に車が入るとループセンサ２が入庫を検知し、４の中継器と信号線５により駐車場の精算機６に入庫の信号を送る。精算機６は、入庫を認識した後、一定の時間後にロック装置３を作動させる。 【００１３】７は車室に設けた充電装置で、通常は全車室の一部に設けられている。８は充電装置７に電力を供給する２００Ｖなどの電力線で、分電盤９内の図示しないスィッチを経由して充電装置に電力が送られる。分電盤内には必要に応じて図示しない電力計が設けられ、充電装置ごとに充電に利用した電力が計測される。分電盤９と精算機６間には、計測した電力量を伝送する信号線１０があり、精算機６で充電料金を計算し、駐車料金とともに充電料金を請求することもできる。 【００１４】１１は、駐車場の利用状態すなわち、満車であるか、空車であるかなどの情報を１２の表示装置に伝送する信号線である、表示装置は、従来は満車か空車かのみが表示されたが、本実用新案では、充電装置に空きがあるかないかの表示を合わせて行うようになっている。 【００１５】図２は、本実用新案による駐車場の表示装置の例を示す。ポール１３の上部に満車空車の情報に加えて充電が可能な状態かどうかを表示できる表示装置１４が設けられている。すなわち、この表示装置には、最大で４つの情報が表示されるが、その内容は、駐車場である「Ｐ」などの表示と、駐車スペースに空きがあるかどうかを示す「満」、「空」の表示がペアになって表示されるとともに、充電装置が設置されている「充」、「充電」などの情報と、それが利用可能であるかどうかを示す「可」や「×」などの表示がペアになって表示される。 【００１６】満空の表示や充電可の表示などは、ＬＥＤの点滅で表示したり、色を変えたりしてその状態を表示することができる。したがって、電気自動車等のドライバーは走行中であっても充電が可能な駐車場であるかどうかを容易に視認できる。 【００１７】図３は、表示装置に表示する文字やイラストの例を示した。１４は満、空、充、電、充電などの文字情報であり、１５は、電気コンセントや電気自動車をイメージできるイラスト（図案）である。表示装置１４の表示には、これらの文字、イメージ、あるいはこれに類した他の文字やイメージをを使うこともできる。 【００１８】図４は、表示装置の表示を切り替える仕組みを示したものである。精算機１７（図１では６）は、ループコイルなどのセンサー２の検知情報を信号線５経由でうけとり、車室数と現在の駐車車両数から、満車か、駐車可能な車室が残っているかどうか、充電装置を備えた車室に空きがあるかどうかを判定し、満車、空車、充電が可能かどうかの「可」や「×」などを示す信号を信号線１８により、満、空、充電表示切替え装置１９に送る。該切替え装置１９は、精算機１７からの信号を受け、電源装置２５から配線２４を通して送られる電気を使って、表示装置の表示内容を切り替える。すなわち、表示装置には、満車を表示させる配線２０、空車を表示させる配線２１および充電可能な表示をさせる配線２２により、満車表示、空車表示、充電可能表示のひとつ、またはいず��か二つを作動させる。これによって、満車、空車、または充電可能の表示が行われる。 【００１９】一般に、充電可能な表示は、駐車場に空車があって駐車できる場合にのみ意味があるので、図３の表示切替え装置１９は、少なくても充電が可能な場合のみ、「可」などの表示をする状態のときに充電可能を表示するだけでも良い。 【００２０】表示装置１４は、空車表示と充電可能な表示を、ある時間間隔で交互に表示させる方法もある。この場合はＬＥＤ表示装置により、駐車スペースと充電可能スペースの情報を一つの表示装置で交互に表示させればよい。 【００２１】電子式表示装置は、近年急速な進歩を遂げている。上記の表示装置はあらかじめ用意された表示を切り替え装置３３で切り替える例で説明したが、より高度な液晶、ＬＥＤ等の表示装置を用いて、ひとつの表示板に充電や満空情報を交互に表示しても良い。  
【産業上の利用可能性】
【００２２】本実用新案は、駐車場に設置された充電装置が利用可能状態にあるかどうかを、走行中のドラーバーが容易に確認できるようにできるので、充電装置の利用頻度が増加する。ひいては、電気自動車等エネルギー消費の少ない車両の普及に貢献するなど産業上の利用として大いに効果がある。 
【符号の説明】
【００２３】１  車室    ２  ループコイル    ３    ロック機構    ４    中継器    ５  信号線６    精算機    ７  充電装置    ８  電力線    ９    分電盤１０  信号線    １１  信号線    １２  表示装置１３  支柱    １４  表示装置１５  表示装置の文字情報の例      １６  表示装置のイメージ情報の例１７  精算機    １８  信号線    １９  表示切り替え装置    ２０  満車を表示させる配線    ２１  空車を表示させる配線    ２２  充電可能を表示させる配線２３  表示装置    
【図１】
0003173255.tif 000003
【図２】
0003173255.tif 000004
【図３】
0003173255.tif 000005
【図４】
0003173255.tif 000006